(57)【特許請求の範囲】
【請求項１】
上端に広口と下端に細口（３、１０３）とを備えた有底筒状の内容器（４、１０４）を設け、この内容器（４、１０４）に対して所定の間隔を隔てて囲んだ外装体（８、１０８）を設け、外装体（８、１０８）の上端に着脱自在に装着し、内容器の広口を開閉する蓋体（９、１０９）を設け、後端を内容器の細口（３、１０３）と連結し、先端を外装体の前面下部の貫通口（１３、１１３）より突出して、内容器内の液体を吐出する蛇口ユニット（１０）を設け、この蛇口ユニット（１０）にパイプ部（１６）を備えた蛇口本体（２０）と、蛇口本体（２０）内の吐出口部（１８）を開閉する弁（２１）と、弁（２１）を操作する操作体（２２）と、パイプ部（１６）外周に螺着されるナット（２４）とを設け、この蛇口ユニット（１０）を外装体（８、１０８）或いは内容器（４、１０４）に固定する液体供給用容器（１、１０１）の蛇口ユニットであって、上記蛇口本体（２０）のパイプ部（１６）外周面は少なくとも外装体に支えられて内容器内側からをナット（２４）螺着する長さの雄ネジ部と、雄ネジ部の後方でフラットな面を有するフラット部とを設け、内容器（４）の細口（３）と外装体（８）の貫通口（１３）とが同じ高さ位置にあり、蛇口ユニット（１０）のナット（２４）が内容器（４）内側で螺着されるときは、蛇口ユニット（１０）に内容器（４）と外装体（８）との間隔に相当する長さのスペーサー（２３）を装着した状態でナット（２４）を締め付け、内容器（１０４）のジョイントパイプ（１３２）を連結した細口（１０３）と外装体（１０８）の貫通口（１１３）とが同じ高さ位置になく、蛇口ユニット（１０）のナット（２４）が外装体（１０８）の内側で螺着されるときは、パイプ部（１６）のフラット部をジョイントパイプ（１３２）内側に挿入した状態でナット（２４）を締め付け、蛇口ユニット（１０）をそのまま外装体（１０８）に装着することを特徴とした液体供給用容器の蛇口ユニット。
【発明の詳細な説明】
【０００１】
【発明の属する技術分野】
本発明は、外装体に囲まれた内容器の下部より蛇口ユニットを介して内容器内の液体を吐出する液体供給用容器の蛇口ユニットに関するものである。
【０００２】
【従来の技術】
従来、液体供給用容器は上端に広口と下端に細口とを備えた有底筒状の内容器を設け、この内容器の胴部を所定の間隔を隔てて囲んだ外装ケースを設け、この外装体の下端に底部材を結合し、上端に肩部材を結合して、この外装ケース、底部材及び肩部材を外装体とし、この外装体の肩部材上端に着脱自在に装着し、内容器の広口を開閉する蓋体を設け、後端を内容器の細口と連結し、先端を外装体の前面下部に突出して、内容器内の液体を吐出する蛇口ユニットを設けていた。
【０００３】
【発明が解決しようとする課題】
しかしながら、この種の液体供給用容器では内容器の細口の孔あけ場所によって、蛇口ユニットを外装体に固定するか或いは内容器に固定するか相違していた。  即ち、内容器の細口が内容器の前壁の下部に孔あけされた場合には内容器に蛇口ユニットを固定できるが、細口が内容器の底部に孔あけされた場合には外装体に蛇口ユニットを固定することとなる。
従って、蛇口ユニットも内容器に固定するものと、外装体に固定するものとでは必然的に相違することとなって内容器へ固定するもの或いは外装体へ固定するものと相似的な蛇口ユニットの金型、組立を必要とし、非常にコストアップとなると共に取り付け作業も繁雑であるという問題点があった。
【０００４】
そこで、本発明は上記の問題点を解決するためになされたものであって、内容器と外装体とに穿設される細口と貫通口との高さ位置にかかわらず、内容器へ固定する蛇口ユニット或いは外装体へ固定する蛇口ユニットとを共用して低コスト化すると共に取り付け作業も容易で大幅なコストの底廉をはかることができる液体供給用容器の蛇口ユニットを提供することを目的としている。
【０００５】
【課題を解決するための手段】
本発明によれば、蛇口本体２０のパイプ部１６外周面は少なくとも外装体に支えられて内容器内側からをナット２４螺着する長さの雄ネジ部と、雄ネジ部の後方でフラットな面を有するフラット部とを設け、内容器４の細口３と外装体８の貫通口１３とが同じ高さ位置にあり、蛇口ユニット１０のナット２４が内容器４内側で螺着されるときは、蛇口ユニット１０に内容器４と外装体８との間隔に相当する長さのスペーサー２３を装着した状態でナット２４を締め付け、内容器１０４のジョイントパイプ１３２を連結した細口１０３と外装体１０８の貫通口１１３とが同じ高さ位置になく、蛇口ユニット１０のナット２４が外装体１０８の内側で螺着されるときは、パイプ部１６のフラット部をジョイントパイプ１３２内側に挿入した状態でナット２４を締め付け、蛇口ユニット１０をそのまま外装体１０８に装着する構成としたものである。
【０００６】
【発明の実施の形態】
以下、本発明の実施例を図に基づいて説明する。
図中、図1は本発明の液体供給用容器の正面図、図２は本発明の液体供給用容器の平面図、図３は本発明の内容器に蛇口ユニットを固定した液体供給用容器の縦断面図、図４は図３のＡ部拡大図、図５は本発明の外装体に蛇口ユニットを固定した液体供給用容器の縦断面図、図６は図５のＢ部拡大図である。
【０００７】
液体供給用容器１は上端に広口２と、下部に細口３とを備えた有底筒状の内容器４と、この内容器４に対して所定の間隔を隔てて胴部を囲んだ外装ケース５、外装ケースの下端に結合の底部材６、外装ケースの上端に結合の肩部材７、この外装ケースと底部材と肩部材とを総称して外装体８とし、この外装体の肩部材７上端に着脱自在に装着し、内容器の広口を開閉する蓋体９と、後端を内容器の細口と連結し、先端を外装体の前面下部に突出して内容器内の液体を吐出する蛇口ユニット１０とから構成されている。１１はハンドル、１２は折り畳み式の脚である。
【０００８】
内容器４はステンレス、アルミ等の金属製又は合成樹脂製であって、上端を広口２とし、下部に細口３を備えた有底筒状に形成している。この内容器４の下部の細口３は内容器の前壁下部に設けている。この内容器４の上端は外側に向けてカーリングしている。
【０００９】
外装体８の外装ケース５は薄い平板状の鉄板を円筒状に折り曲げて、その両端をはぜ折りした後、上、下端を内側に向けてカーリングしている。外装ケース５は前壁下部に内容器の細口３と水平方向に開口した貫通口１３を設けている。この貫通口１３の径は内容器の細口３の径とほぼ同一径である。
【００１０】
外装体の底部材６は上端外周に外装ケースの下端カーリング部分を無理嵌め結合しており、下端に折り畳みの脚１２、１２を開閉自在に装着している。
【００１１】
外装体８の貫通口１３は外装ケース５の前壁下部に設けたが、底部材６を嵩高に形成して、この嵩高の底部材６の前壁下部に形成してもよい。
外装体８の肩部材７は下端外周に外装ケース５の上端カーリング部分を無理嵌め結合しており、中央に広い開口を形成している。この肩部材７の広い開口を形成する周壁に後述の蓋体９を着脱自在に装着する雌ネジを刻設している。
【００１２】
この肩部材７は広い開口を形成する周壁と外装ケースの無理嵌め結合部分との間の下部に内容器４の上端折り曲げ部分を結合する環状結合部１４を形成している。
蓋体９は下部外周に肩部材の雌ネジと螺着する雄ネジを刻設している。
【００１３】
蛇口ユニット１０は、蛇口本体２０と、蛇口本体２０内の液体通路１５内にあって蛇口本体２０の吐出口部１８を開閉する弁２１と、蛇口本体２０の操作部１９内にあって弁２１を操作する操作体２２と、ナット２４とからなっている。
【００１４】
２３は、外装体８と内容器４との隙間にあって、外装体の貫通口１３前方より内容器４内に挿入された蛇口本体２０のパイプ部１６外周に嵌め込まれて、外装体８前壁と内容器４前壁との間の隙間に相応する長さの中空パイプのスペーサーである。
【００１５】
蛇口本体２０は、図４に示すように、内部に液体通路１５を備えたパイプ部１６と、このパイプ部１６の前方外周に上記貫通口１３よりも大きい径の鍔部１７と、この鍔部１７前方下端に斜め下方に向けて延び液体通路１５と連通する吐出口部１８と、鍔部１７の前方で後述の操作体を収納する操作部１９とを一体成形している。
【００１６】
蛇口本体２０のパイプ部１６は、図３及び図４に示すように、内部空洞で少なくとも外装体８に支えられて内容器４内側からナット２４を螺着する長さの雄ネジ部と、雄ネジ部の後方でフラットな面を有するフラット部とを一体成形している。
【００１７】
外装体８の貫通口１３周りには外装体用シールパッキン２５を設け、内容器の細口３周りにも内容器用シールパッキン２６を設けている。２７は弁復帰用スプリングである。スペーサー２３は外装体８前壁と内容器４前壁との間の隙間に相応する長さの中空パイプである。
【００１８】
蛇口ユニット１０の取付けに際しては、内容器４の細口３と外装体８の貫通口１３とが同じ高さ位置に存在するとき、前工程として蛇口本体２０内に弁２１、及び弁復帰用スプリング２７を装填し、操作体２２を装着した後、蛇口本体２０のパイプ部１６を外装体８の貫通口１３前方より内容器４の細口３に向けて差し込まれる。
【００１９】
このとき外装体の貫通口１３と内容器の細口３との間に外装体用シールパッキン２５、スペーサー２３、内容器用シールパッキン２６を配設しておき、パイプ部１６を外装体用シールパッキン２５、スペーサー２３、内容器用シールパッキン２６に貫通して、蛇口本体２０の鍔部１７を外装体８の貫通口１３前方周りに当接する。
【００２０】
次に内容器４内に突出したパイプ部１６の後方よりナット２４を螺着して内容器用シールパッキン２６を介して内容器４の細口３の周りに当接し締め付ける。
【００２１】
この締め付けによって外装体８と内容器との間が狭まりスペーサー２３を外装体８と内容器との間に隙間なく保持して蛇口本体２０を固定する。この取り付けによって、内容器内のパイプ部１６外周の雄ネジとナット２４の雌ネジとの間より流れ出ようとする液滴は内容器用シールパッキン２６で流出が阻止され、
【００２２】
更に、この雄ネジと内容器用シールパッキン２６との間より流れ出ようとする液滴は雄ネジとスペーサー２３の内壁間とを通りスペーサー前壁に当接の外装体用シールパッキン２５にて阻止されて、液漏れを確実に防いでいる。
【００２３】
外装体８と内容器４との間の隙間は、一般に液体供給用容器の大きさを考慮してできるだけ狭くされており、この隙間には保温効果を高めるために断熱材を充填してもよい。
【００２４】
次に、図５及び図６に基づいて外装体に蛇口ユニットを取付ける構造の液体供給用容器について説明する。
この液体供給用容器１０１は図３及び図４とほぼ同じであって、上端に広口１０２と、下端に細口１０３とを備えた有底筒状の内容器１０４と、この内容器１０４に対して所定の間隔を隔てて胴部を囲んだ外装ケース１０５、外装ケースの下端に結合の底部材１０６、外装ケースの上端に結合の肩部材１０７、この外装ケースと底部材と肩部材とを総称して外装体１０８とし、この外装体の肩部材１０７上端に着脱自在に装着し、内容器の広口１０２を開閉する蓋体１０９と、後端を内容器の細口１０３と連結し、先端を外装体１０８の前面下部に突出して内容器内の液体を吐出する蛇口ユニット１０とから構成されている。１１１はハンドルである。
【００２５】
内容器１０４はステンレス、アルミ等の金属製又は合成樹脂製であって、上端を広口１０２とし、下端底部に細口１０３を備えた有底筒状に形成している。内容器１０４の上端は外側に拡がった環状のフランジ部１２８を形成している。
【００２６】
内容器１０４は細口１０３より注出筒１２９を一体形成している。この注出筒１２９は下端に向けて延びており、Ｌ字形中空状のジョイントパイプ１３２を連結している。１３０は底ビス用のアングルである。
外装体１０８の外装ケース１０５は薄い平板状の鉄板を円筒状にカーリングして、その両端をはぜ折りした後、上端を内側に向けて段状に折り曲げ、下端を内側に向けてカーリングしている。
【００２７】
肩部材１０７は周下端に外装ケース１０５の上端折り曲げ部分を結合する結合部を形成し、中央に広い開口を形成している。この肩部材１０７の広い開口を形成する周壁の下端に上述の内容器１０４のフランジ部１２８を載置する環状フランジ部を設けている。この肩部材１０７は広い開口を形成する周壁の上部に後述の蓋体１０９を螺着する雌ネジを刻設している。
【００２８】
外装体１０８の底部材１０６は上端外周に外装ケース１０５の下端カーリング部分を無理嵌め結合しており、下端に折り畳み脚を収納する収納部を複数一体的に形成している。
底部材１０６は前壁は内側に大きくくぼんでおり、このくぼみ部分の中央に貫通口１１３を設けている。
【００２９】
１３１は、内容器１０４のアングル１３０に係止する底ビスである。この底ビス１３１の締付けによって、肩部材１０７と底部材１０６間の内容器１０４を固く挟みつけると同時に外装ケース１０５をも固定することとなる。蓋体１０９は下部外周に肩部材の雌ネジと螺着する雄ネジを刻設している。この貫通口１１３は、図６に示すように、内容器の細口１０３と違った高さ位置に穿設している。
【００３０】
蛇口ユニット１０は、図３及び図４に示した蛇口ユニットと全く同一のものであって、蛇口本体２０と、蛇口本体２０内の液体通路１５内にあって蛇口本体２０の吐出口部１８を開閉する弁２１と、蛇口本体２０の操作部１９内にあって弁２１を操作する操作体２２と、蛇口本体２０を底部材１０６の前壁に固定するナット２４とからなっている。
【００３１】
蛇口本体２０は、図６に示すように、内部に液体通路１５を備えたパイプ部１６と、このパイプ部１６の前方外周に上記貫通口１１３よりも大きい径の鍔部１７と、この鍔部１７前方下端に斜め下方に向けて延び液体通路１５と連通する吐出口部１８と、鍔部１７の前方で後述の操作体を収納する操作部１９とを一体成形している。
【００３２】
蛇口本体２０のパイプ部１６は、図５及び図６に示すように、内部空洞で少なくとも外装体８に支えられて内容器１０４内側からナット２４を螺着する長さの雄ネジ部と、雄ネジ部の後方でフラットな面を有するフラット部とを一体成形している。２７は弁復帰用スプリングである。
【００３３】
蛇口ユニット１０の取付けに際しては、内容器１０４の細口１０３と外装体１０８の貫通口１１３とが同じ高さ位置に存在しないとき、前工程として蛇口本体２０内に弁２１、及び弁復帰用スプリング２７を装填し、操作体２２を装着した後、蛇口本体２０のパイプ部１６を外装体１０８の貫通口１１３前方より外装体１０８内に向けて差し込み、蛇口本体２０の鍔部１７を外装体１０８の貫通口１１３前方周りに当接する。
【００３４】
次に、外装体１０８内に突出したパイプ部１６の後方よりナット２４を挿入し、内容器の細口１０３に連結したジョイントパイプ１３２にパイプ部１６のフラット部を挿入後、蛇口本体２０を外装体１０８の底部材１０６前壁に固定しながらナット２４を螺着して外装体１０８内側に締め付けている。この蛇口ユニット１０の取付けは外装ケース１０５の下端に底部材１０６を結合する前に底部材１０６に取付けている。
【００３５】
外装体１０８と内容器１０４との間の隙間には保温効果を高めるために発泡ウレタン等の充填材を充填してもよい。この充填材によって肩部材、外装ケース、内容器及び底部材を強固に固定することができる。
【００３６】
【発明の効果】
以上の説明から既に明らかなように、本発明にいうところの液体供給用容器の蛇口ユニットは、 蛇口本体のパイプ部外周面は少なくとも外装体に支えられて内容器内側からをナット螺着する長さの雄ネジ部と、雄ネジ部の後方でフラットな面を有するフラット部とを設け、内容器の細口と外装体の貫通口とが同じ高さ位置にあり、蛇口ユニットのナットが内容器内側で螺着されるときは、蛇口ユニットに内容器と外装体との間隔に相当する長さのスペーサーを装着した状態でナットを締め付け、内容器のジョイントパイプを連結した細口と外装体の貫通口とが同じ高さ位置になく、蛇口ユニットのナットが外装体の内側で螺着されるときは、パイプ部のフラット部をジョイントパイプ内側に挿入した状態でナットを締め付け、蛇口ユニットをそのまま外装体に装着する構成としたものであるから、内容器と外装体とに穿設される細口と貫通口との高さ位置にかかわらず、内容器へ固定する蛇口ユニット或いは外装体へ固定する蛇口ユニットとを共用して低コスト化すると共に取り付け作業も容易で大幅なコストの底廉をはかることができるという顕著な効果を期待することが出来るに至ったのである。
【図面の簡単な説明】
【図１】  本発明の液体供給用容器の正面図。
【図２】  本発明の液体供給用容器の平面図。
【図３】  本発明の内容器に蛇口ユニットを固定した液体供給用容器の縦断面図。
【図４】  図３のＡ部拡大図。
【図５】  本発明の外装体に蛇口ユニットを固定した液体供給用容器の縦断面図。
【図６】  図５のＢ部拡大図。
【符号の説明】
１、１０１…液体供給用容器
２、１０２…広口
３、１０３…細口
４、１０４…内容器
５、１０５…外装ケース
６、１０６…底部材
７、１０７…肩部材
８、１０８…外装体
９、１０９…蓋体
１０…蛇口ユニット
１１、１１１…ハンドル
１２…脚
１３、１１３…貫通口
１４…環状結合部
１５…液体通路
１６…パイプ部
１７…鍔部
１８…吐出口部
１９…操作部
２０…蛇口本体
２１…弁
２２…操作体
２３…スペーサー
２４…ナット
２５…外装体用シールパッキン
２６…内容器用シールパッキン
２７…弁復帰用スプリング
１２８…フランジ部
１２９…注出筒
１３０…底ビス用のアングル
１３１…底ビス
１３２…ジョイントパイプ
１３３…充填材
【図１】
0003916289.tif 000002
【図２】
0003916289.tif 000003
【図３】
0003916289.tif 000004
【図４】
0003916289.tif 000005
【図５】
0003916289.tif 000006
【図６】
0003916289.tif 000007